(57)【要約】【課題】幌部付きのベビーカーに取付け可能で、日除け又は虫除けの機能を有するベビーカー用補助カバーを提供する。【解決手段】補助カバー１０は、幌カバー部１と前掛部２とを有し；幌カバー部１は、弧状フレーム部１１と袋状被覆シート部１２とを含み、弧状フレーム部の両端部にベビーカー４への取付手段１６を有し；前掛部は、袋状防護シート部と巾着型調整手段とを含み；巾着型調整手段は、紐状コード材と環状口部と紐状コード材係止手段とを含み；幌カバー部の伸縮性弦型縁部と、前掛部の伸縮性楕円状縁部の上部とが連結して幌カバー部と前掛部とが連結しており；ベビーカー補助具を取付けた場合に、幌カバー部はベビーカー幌部を外側から覆うと共に幌部の前方先端よりも前方側に突出可能で、前掛部はベビーカーの前方を覆うことができ、環状口部は幌カバー部によって覆われる位置に設けられている。【選択図】図１
2009262595.tif 000002
【特許請求の範囲】
【請求項１】
幌部を備えたベビーカーに着脱自在に取付けることができ、幌カバー部と前掛部とを有するベビーカー用補助カバーであって、
前記幌カバー部は、弧状フレーム部と袋状被覆シート部とを含み、前記袋状被覆シート部の開口部は、前記弧状フレーム部の全長にわたって固定連結された弧状縁部と、前記弧状フレーム部の弦に相当する位置を占める伸縮性弦型縁部とから形成され、
前記弧状フレーム部の両端部に、ベビーカーへの取付手段を有し、
前記前掛部は、伸縮性楕円状縁部を開口部とする袋状防護シート部と、その袋状防護シート部の長さを調整することのできる巾着型調整手段とを含み、
前記巾着型調整手段は、紐状コード材と、その紐状コード材を内部に通過させて含み、紐状コード材を締めて閉じるか緩めて開くことのできる環状口部と、その環状口部の外側に出ている紐状コード材を係止する手段とを含み、
前記幌カバー部の伸縮性弦型縁部の少なくとも一部と、前記前掛部の伸縮性楕円状縁部の上部の一部とが連結することによって前記幌カバー部と前記前掛部とが連結しており、
前記ベビーカー補助具をベビーカーに取付けた場合に、
前記幌カバー部はベビーカーの幌部を外側から覆うと共にベビーカーの幌部の前方先端よりも前方側に突出することができ、前記前掛部はベビーカーの前方を覆うことができ、前記環状口部は、その上方を前記幌カバー部によって覆われる位置に設けられていることを特徴とする、
前記のベビーカー用補助カバー。
【請求項２】
前記前掛部が、メッシュ材からなる虫除け部であるか、又は防水性材料からなる雨除け部である、請求項１に記載のベビーカー用補助カバー。
【請求項３】
前記前掛部が、更に、外部から開閉可能な扉部を有する、請求項１又は２に記載のベビーカー用補助カバー。
【請求項４】
前記前掛部が、更に、側部固定手段及び／又はフット部固定手段を有する、請求項１〜３のいずれか一項に記載のベビーカー用補助カバー。
【請求項５】
前記幌カバー部が、更に、中間弧状フレーム部を有する、請求項１〜４のいずれか一項に記載のベビーカー用補助カバー。
【請求項６】
前記幌カバー部が、更に、幌カバー部の位置を調整して固定する手段を有する、請求項１〜５のいずれか一項に記載のベビーカー用補助カバー。
【発明の詳細な説明】
【技術分野】
【０００１】
本発明は、ベビーカー用補助カバーに関する。本発明のベビーカー用補助カバーを、ベビーカーに取付けることにより、ベビーカーの幌による日除け機能を更に補強することができると共に、ベビーカーに着座している乳幼児に対する虫除け、又は雨・雪除けの機能を追加することができる。
【背景技術】
【０００２】
ベビーカーに着座している乳幼児を蚊や虫から守る技術が提案されている（例えば、特許文献１及び２）。しかしながら、これらの技術は、いずれも、ベビーカーを単に蚊帳で覆うものであり、蚊帳の寸法を長くして虫除け機能を向上させると、蚊帳の下部が車輪に絡まる。一方、蚊帳の寸法を短くして、蚊帳の下部が車輪に絡まないようにすると、蚊帳の下部が露出して虫除け機能が損なわれ、目的を十分に達成することができない。また、大きさの異なるベビーカーに取付けるための手段を備えていないので、種々の大きさのベビーカーに取付けると、蚊帳の下部が長くなりすぎて車輪に絡まったり、短くなりすぎて十分な虫除け効果を得ることができなくなる。
【０００３】
また、ベビーカーには、上部に日除け用の幌を備えるものが数多く市販されている。このような日除け用幌は、上部より降り注ぐ日光から乳幼児の頭部を保護することができるが、前方からの日差しを防ぐ点では十分ではないので、補助日除けも種々提案されている（例えば、特許文献３及び４）。しかしながら、補助日除けに、虫除け機能を追加した補助カバーは提案されていない。
【特許文献１】特開２０００−１５９１２２号公報
【特許文献２】特開２００５−１４８７１号公報
【特許文献３】特開２００５−２５４８３７号公報
【特許文献４】特開２００６−１１７０５６号公報
【発明の開示】
【発明が解決しようとする課題】
【０００４】
従って、本発明の課題は、大きさの異なる種々のベビーカーに取付けても、着座者（乳幼児）をほぼ完全に蚊帳で覆うことにより、十分な虫除け効果を得ることができると共に、蚊帳の下部が車輪に絡まず、しかも補助日除け機能も備える補助カバーを提供することにある。
【課題を解決するための手段】
【０００５】
前記の課題は、本発明により、
幌部を備えたベビーカーに着脱自在に取付けることができ、幌カバー部と前掛部とを有するベビーカー用補助カバーであって、
前記幌カバー部は、弧状フレーム部と袋状被覆シート部とを含み、前記袋状被覆シート部の開口部は、前記弧状フレーム部の全長にわたって固定連結された弧状縁部と、前記弧状フレーム部の弦に相当する位置を占める伸縮性弦型縁部とから形成され、
前記弧状フレーム部の両端部に、ベビーカーへの取付手段を有し、
前記前掛部は、伸縮性楕円状縁部を開口部とする袋状防護シート部と、その袋状防護シート部の長さを調整することのできる巾着型調整手段とを含み、
前記巾着型調整手段は、紐状コード材と、その紐状コード材を内部に通過させて含み、紐状コード材を締めて閉じるか緩めて開くことのできる環状口部と、その環状口部の外側に出ている紐状コード材を係止する手段とを含み、
前記幌カバー部の伸縮性弦型縁部の少なくとも一部と、前記前掛部の伸縮性楕円状縁部の上部の一部とが連結することによって前記幌カバー部と前記前掛部とが連結しており、
前記ベビーカー補助具をベビーカーに取付けた場合に、
前記幌カバー部はベビーカーの幌部を外側から覆うと共にベビーカーの幌部の前方先端よりも前方側に突出することができ、前記前掛部はベビーカーの前方を覆うことができ、前記環状口部は、その上方を前記幌カバー部によって覆われる位置に設けられていることを特徴とする、
前記のベビーカー用補助カバーによって解決することができる。
【０００６】
本発明によるベビーカー用補助カバーの好ましい態様によれば、前記前掛部が、メッシュ材からなる虫除け部であるか、又は防水性材料からなる雨除け部である。
また、本発明によるベビーカー用補助カバーの別の好ましい態様によれば、前記前掛部が、更に、外部から開閉可能な扉部を有する。
更に、本発明によるベビーカー用補助カバーの更に別の好ましい態様によれば、前記前掛部が、更に、側部固定手段及び／又はフット部固定手段を有する。
【０００７】
本発明によるベビーカー用補助カバーの更に別の好ましい態様によれば、前記幌カバー部が、更に、中間弧状フレーム部を有する。
本発明によるベビーカー用補助カバーの更に別の好ましい態様によれば、前記幌カバー部が、更に、幌カバー部の位置を調整して固定する手段を有する。
【０００８】
本明細書において、位置関係を示す用語（例えば、上部、上方、下部、下方、前方、後方、又は側方）は、本発明によるベビーカー用補助カバーをベビーカーに取付け、そのベビーカーを通常の方法で使用している状態での位置関係について用いるものとする。従って、本発明によるベビーカー用補助カバーをベビーカーから取り除いた保管状態などでの位置関係を限定するものではない。
【発明の効果】
【０００９】
本発明のベビーカー用補助カバーは、前掛部の袋状防護シート部（例えば、メッシュ材からなる蚊帳用の虫除け部）の長さを調整することのできる巾着型調整手段を有しているので、取付けたベビーカーの大きさに応じて袋状防護シート部の長さを調整して、十分な封鎖性を維持した状態で、車輪に絡まないようにすることができる。また、本発明によるベビーカー用補助カバーは、種々のタイプのベビーカー、すなわち、Ｂ型ベビーカー又はバギータイプのベビーカーのいずれにも取付け可能である。なお、Ｂ型ベビーカーとは、約６ヶ月以下の乳幼児（おすわりのできない乳幼児）用のＡ型ベビーカーとは異なり、約６ヶ月以上の乳幼児（おすわりができる乳幼児）用のベビーカーである。
また、本発明のベビーカー用補助カバーにおいては、巾着型調整手段の環状口部が空隙の開口部、すなわち、口の部分に袋状防護シート部の材料がない開口部であっても、その上を幌カバー部が覆っているので、封鎖性が損なわれることがない。
【発明を実施するための最良の形態】
【００１０】
本発明によるベビーカー用補助カバーの代表的な実施態様について、以下、添付図面に沿って説明する。
図１は、本発明によるベビーカー用補助カバー１０を、図４に示すバギータイプベビーカー４に取付けた状態を示す斜視図である。図２は、図１のベビーカー用補助カバー１０を下方から見た斜視図であり、図３は、図２において、バギータイプベビーカー４の左側前輪４３を取り外した状態の斜視図である。また、図５は、本発明によるベビーカー用補助カバー１０を、図６に示すＢ型ベビーカー５に取付けた状態を示す斜視図である。図７は、図１に示す状態において、ベビーカー用補助カバー１０が取付けられている状態を内側（ベビーカーの座席側）から示す目的で、バギータイプベビーカー４のみを仮想的に取り除いた状態を示す斜視図であり、図８は、図７において、ベビーカーへの取付手段や各種固定手段を取り外して解放した状態を示す斜視図であり、図９は、図８に示す状態の底面図であり、図１０及び図１１は、図８の分解斜視図であり、図１０は、幌カバー部１の斜視図であり、図１１は、前掛部２の斜視図である。
【００１１】
幌カバー部１は、弧状フレーム部１１（又は先端弧状フレーム部１１）と袋状被覆シート部１２とを含む。前記袋状被覆シート部１２の開口部１３は、前記弧状フレーム部１１の全長にわたって固定連結された弧状縁部１４と、前記弧状フレーム部１１の弦に相当する位置を占める伸縮性弦型縁部１５とから形成される。袋状被覆シート部１２は、ベビーカーの幌に一般的に用いられる材料（例えば、合成繊維や天然繊維）から形成され、日除けや雨除けなどの機能を有していることが好ましい。弧状フレーム部１１は、例えば、形状保持性の金属材料やプラスチック材料からなる弧状フレームに、袋状被覆シート部１２を縫いつけて形成されている。また、伸縮性弦型縁部１５は、その縁部に沿って、ゴム製部材やバネ部材などの伸縮性部材が縫い込まれており、伸縮性を有している。なお、図７〜図１０に示す伸縮性弦型縁部１５は、伸びた状態でバギータイプベビーカー４に取付けられているので、バギータイプベビーカー４から取り外された状態では、収縮した状態になる。
【００１２】
幌カバー部１は、弧状フレーム部１１の両端部１１ａ，１１ｂに、ベビーカーへの取付手段１６ａ，１６ｂを備えており、この取付手段１６ａ，１６ｂによって、バギータイプベビーカー４（図１及び図４）や、Ｂ型ベビーカー５（図５及び図６）の側方フレームに着脱自在に取付けることができる。取付手段１６ａ，１６ｂは、ベビーカーのフレームに巻き付けて固定することのできる手段であれば特に限定されず、例えば、面ファスナーやボタンなどを先端に備えたベルトなどを用いることができる。
【００１３】
また、幌カバー部１は、前記取付手段１６ａ，１６ｂによってベビーカーの側方フレームに取付ける共に、図１及び図５に示すように、伸縮性弦型縁部１５の伸縮性を利用して、バギータイプベビーカー４（図１及び図４）の幌４１の上や、Ｂ型ベビーカー５（図５及び図６）の幌５１の上に載置して取付けることができる。なお、幌カバー部１を伸縮性弦型縁部１５の伸縮性のみで支持すると、幌カバー部１の自重で前方にずれて移動してしまうので、位置調整手段１７ａ，１７ｂによって伸縮性弦型縁部１５の載置位置とベビーカーのフレームとの距離を一定に維持しながら固定するのが好ましい。
【００１４】
更に、幌カバー部１は、袋状被覆シート部１２の中央部に中間弧状フレーム部１８を有することができる。中間弧状フレーム部１８の両端部も、前記先端弧状フレーム部１１の両端部１１ａ，１１ｂと共通の位置にあり、先端弧状フレーム部１１と中間弧状フレーム部１８との間に、前方シート部１２ｆが形成される。前方シート部１２ｆは、形状維持性のフレーム部によって包囲されており、中間弧状フレーム部１８の位置を、バギータイプベビーカー４（図１及び図４）の幌４１の先端４１Ａや、Ｂ型ベビーカー５（図５及び図６）の幌５１の先端５１Ａよりも進行方向前方に突出させ、その中間弧状フレーム部１８の位置から前方シート部１２ｆを下方に垂れ下げるか、あるいは斜め前方に傾斜させながら下方に垂れ下げることができる。こうして、バギータイプベビーカー４（図１及び図４）の幌４１や、Ｂ型ベビーカー５（図５及び図６）の幌５１に対して補助的な日除け効果を得ることができる。なお、中間弧状フレーム部１８の位置は、位置調整手段１７ａ，１７ｂによって前後方向に適宜調整することができる。位置調整手段１７ａ，１７ｂもベビーカーのフレームに巻き付けて固定することのできる手段であれば特に限定されず、例えば、面ファスナーやボタンなどを先端に備えたベルトなどを用いることができる。また、幌カバー部１は、中間弧状フレーム部１８の中央部に、指で摘むことのできるタグ片１９を有していることができ、前方に垂れ下がっている前方シート部１２ｆを後方に折りたたむ際や、後方に折り畳まれている前方シート部１２ｆを前方に突出させる際に用いることができる。
【００１５】
前掛部２は、伸縮性楕円状縁部２１を開口部２２とする袋状防護シート部２３と、その袋状防護シート部２３の長さを調整することのできる巾着型調整手段３とを含む。伸縮性楕円状縁部２１は、これを虫除け部として利用する場合は、例えば、蚊帳と同様の材料、例えば、メッシュ材からなり、雨・雪除け用として利用する場合は、防水性材料からなることができる。これらのいずれの場合も、着座者の視界を妨げないように、透明ないし半透明材料からなることが好ましい。
【００１６】
袋状防護シート部２３は、伸縮性楕円状縁部２１の連結部２１ａ，２１ｂにおいて前記幌カバー部１の弧状フレーム部１１の両端部１１ａ，１１ｂと連結しており、２つの前記連結部２１ａ，２１ｂの間の半円周状上部伸縮性楕円状縁部２４において、前記幌カバー部１の伸縮性弦型縁部１５と連結している。半円周状上部伸縮性楕円状縁部２４と伸縮性弦型縁部１５との連結は、例えば、面ファスナーなどによって着脱自在に連結させるか、あるいは両者を一体的に縫込むことによって連結させることもできる。一体的に連結する場合は、前記幌カバー部１の伸縮性弦型縁部１５と、前掛部２の上部伸縮性楕円状縁部２４とは、共通の伸縮性縁部から形成することができる。例えば、ゴム製部材やバネ部材などの伸縮性部材を縫い込んで形成した伸縮性弦型縁部１５に、袋状防護シート部２３の端部を縫い込んで、上部伸縮性楕円状縁部２４とすることができる。
【００１７】
２つの前記連結部２１ａ，２１ｂの間の半円周状上部伸縮性楕円状縁部２４とは反対側の半円周部に相当する下部伸縮性楕円状縁部２５は、例えば、ベビーカーの下部に取り付けられ、その伸縮性を利用して、ベビーカーの内部空間を閉鎖することができる。この閉鎖効果を向上させるために、図１〜図３などに示すように、前掛部２に側部固定手段２６ａ，２６ｂを設けて、下部伸縮性楕円状縁部２５をベビーカーの側部フレームに密着して固定させることができる。同様に、前掛部２の下部に、フット部固定手段２７ａ，２７ｂ，２８ａ，２８ｂを設けて、下部伸縮性楕円状縁部２５をベビーカーのフット部フレームに密着して固定させることができる。なお、フット部固定手段２７ａ，２７ｂ，２８ａ，２８ｂをベビーカーのフット部フレームに固定させる操作によって、本発明によるベビーカー用補助カバー１０をベビーカーにきわめて簡便に取り付けることができるが、ベビーカーに着座している乳幼児の脚部の後ろ側（ふくら脛）が露出するので、更に閉鎖性を向上させるために、下部伸縮性楕円状縁部２５の先端をフット部フレームの下側で前方から後方に通過させた後、下部伸縮性楕円状縁部２５の先端をベビーカーの後ろ側で座席部フレームまで引き上げて、フット部固定手段２７ａ，２７ｂ，２８ａ，２８ｂをベビーカー背面の座席部フレームに連結させることもできる。前記の側部固定手段２６ａ，２６ｂや、フット部固定手段２７ａ，２７ｂ，２８ａ，２８ｂも、ベビーカーのフレームに巻き付けて固定することのできる手段であれば特に限定されず、例えば、面ファスナーやボタンなどを先端に備えたベルトなどを用いることができる。
【００１８】
前記巾着型調整手段３は、紐状コード材３１と、環状口部３２と、紐状コード材３１ａの係止手段３３とを含む。環状口部３２は、その端縁に沿って紐状コード材３１を内部に通過させて含み、紐状コード材３１を締めて環状口部３２を閉じるか、紐状コード材３１を緩めて環状口部３２を開くことができる。また、係止手段３３は、環状口部３２の外側に出ている紐状コード材３１ａを係止することができる。
【００１９】
次に、本発明によるベビーカー用補助カバー１０を、例えば、図４に示すバギータイプベビーカー４に取付ける操作手順、及び前記巾着型調整手段３を用いて、前記前掛部２の袋状防護シート部２３の長さを調整する方法を、図１２及び図１３に沿って説明する。図１２は、図４に示すバギータイプベビーカー４に、本発明のベビーカー用補助カバー１０を取付け、袋状防護シート部２３の長さを調整する前の状態を、幌カバー部１を取り除いて示す斜視図であり、図１３は、図１２の状態から、巾着型調整手段３を用いて、袋状防護シート部２３の長さを調整した後の状態を、幌カバー部１を取り除いて示す斜視図である。
【００２０】
本発明によるベビーカー用補助カバー１０を、例えば、図１〜図３に示すように、図４に示すバギータイプベビーカー４に取付ける際には、最初に、弧状フレーム部１１の両端部１１ａ，１１ｂに設けた取付手段１６ａ，１６ｂによって、幌カバー部１及び前掛部２を、弧状フレーム部１１の両端部１１ａ，１１ｂでベビーカー４の座席近辺の側面フレームに緊密に固定する。続いて、ベビーカー４が備える幌４１の先端４１Ａから前方シート部１２ｆを前方に突出させる程度に応じて、幌４１上における伸縮性弦型縁部１５の載置位置を決定し、位置調整手段１７ａ，１７ｂによって幌カバー部１を幌４１の上に被せる。
【００２１】
次に、前掛部２の伸縮性楕円状縁部２１の伸縮性を利用して、伸縮性楕円状縁部２１でベビーカー４の側面とフットレスト部を覆い、袋状防護シート部２３の中段部を側部固定手段２６ａ，２６ｂによってベビーカー４の中段フレームに固定し、袋状防護シート部２３の下端部をフット部固定手段２７ａ，２７ｂ，２８ａ，２８ｂによってベビーカー４のフットレストフレームなどに固定する。この状態では、図１２に示すように、巾着型調整手段３の環状口部３２は開いており、袋状防護シート部２３の下端部は垂れ下がっているので、この状態のままでベビーカー４を走行させると、袋状防護シート部２３の下端部がベビーカーの車輪に絡まってしまう。
【００２２】
そこで、図１３に示すように、紐状コード材３１を環状口部３２から引き出すことによって環状口部３２を締めて閉じると、袋状防護シート部２３が上方に引き込まれるので、袋状防護シート部２３の下端部の垂れ下がりが消失する。引き出した紐状コード材３１ａは、係止手段３３によって固定する。なお、環状口部３２を締めて閉じる操作を行う際は、幌カバー部１をベビーカー４の背もたれ部４２側に倒して、環状口部３２を露出させて実施するのが好ましい。続いて、図１４に波線で示すように、幌カバー部１をベビーカー４の背もたれ４２側から、再度、幌４１の上に倒して被せる。従って、袋状防護シート部２３の長さを調整操作の後で環状口部３２が開いていて、空隙部３５が存在しても、閉鎖性が損なわれることがない。また、図１５に示すように、袋状防護シート部２３の長さを調整操作の後で環状口部３２が大きく開いていて、比較的に大きな空隙部３５が存在しても、図１５にて波線で示すように、幌カバー部１によって覆われているので、閉鎖性が損なわれることがない。なお、環状口部３２の空隙部３５は、袋状防護シート部２３と同様の材料で封鎖されていてもよい。
【００２３】
本発明によるベビーカー用補助カバー１０を、例えば、図４に示すバギータイプベビーカー４から取り外す場合は、紐状コード材３１を緩めて環状口部３２を開いてから、側部固定手段２６ａ，２６ｂやフット部固定手段２７ａ，２７ｂ，２８ａ，２８ｂをベビーカーフレームから取り外し、続いて、位置調整手段１７ａ，１７ｂ及び取付手段１６ａ，１６ｂをベビーカーフレームから取り外す。また、幌４１上における伸縮性弦型縁部１５の載置位置を変更して、前方シート部１２ｆを前方に突出させる程度を変更する場合も、その変更に伴って、紐状コード材３１を締めて、環状口部３２を更に閉じるか、あるいは紐状コード材３１を緩めて環状口部３２を更に開くことができる。
【００２４】
本発明によるベビーカー用補助カバー１０をベビーカーに装着して利用すると、前掛部２の内部に着座している乳幼児が完全に封鎖状態で包囲されることになる。一方、乳幼児は、緊急に世話をする必要の生じることがあり、側部固定手段２６ａ，２６ｂやフット部固定手段２７ａ，２７ｂ，２８ａ，２８ｂを取り外す操作よりも簡便な操作で、ベビーカー用補助カバー１０の内部の乳幼児に直接触れることができるように、前掛部２の袋状防護シート部２３の一部に、緊急時に開放可能な扉部を設けておくことが好ましい。この緊急開放用扉部は、例えば、長方形型であり、その３辺を面ファスナーなどで着脱自在に袋状防護シート部２３に係止し、もう１辺を折りたたみ可能にしておき、通常は閉鎖状態で、前掛部２の封鎖性を損なうことがないが、緊急時に、その扉を開いて内部に着座している乳幼児を直接に世話するか、あるいはベビーカーの座席から外部に簡単に取り出すことができる適当な位置に設け、適当な大きさを有することが好ましい。なお、前記の緊急開放用扉部は、円形ないし楕円形であることもできる。
【産業上の利用可能性】
【００２５】
本発明のベビーカー用補助カバーは、幌部を備えたベビーカーに着脱自在に取付けることができ、ベビーカーの幌による日除け機能を更に補強することができると共に、ベビーカーに着座している乳幼児に対する虫除け、又は雨・雪除けの機能を追加することができる。
【図面の簡単な説明】
【００２６】
【図１】本発明によるベビーカー用補助カバーを、図４に示すバギータイプベビーカーに取付けた状態を示す斜視図である。
【図２】図１のベビーカー用補助カバーを下方から見た斜視図である。
【図３】図２において、バギータイプベビーカーの左側前輪を取り外した状態の斜視図である。
【図４】本発明によるベビーカー用補助カバーを取付ける前のバギータイプベビーカーの斜視図である。
【図５】本発明によるベビーカー用補助カバーを、図６に示すＢ型ベビーカーに取付けた状態を示す斜視図である。
【図６】本発明によるベビーカー用補助カバーを取付ける前のＢ型ベビーカーの斜視図である。
【図７】ベビーカーに取付けた本発明によるベビーカー用補助カバーを、ベビーカーを仮想的に取り除いた状態で示す斜視図である。
【図８】図７において、ベビーカーへの取付手段を開いた仮想的状態を示す斜視図である。
【図９】図８に示すベビーカーへの取付手段を開いた仮想的状態の底面図である。
【図１０】図８の補助カバーの幌カバー部の斜視図である。
【図１１】図８の補助カバーの前掛部の斜視図である。
【図１２】図４に示すバギータイプベビーカーに、本発明のベビーカー用補助カバーを取付け、袋状防護シート部の長さを調整する前の状態を、幌カバー部を取り除いて示す斜視図である。
【図１３】図１２の状態から、巾着型調整手段を用いて、袋状防護シート部の長さを調整した後の状態を、幌カバー部を取り除いて示す斜視図である。
【図１４】図１３の状態から、幌カバー部を被せた状態を示す斜視図である。
【図１５】比較的大きな空隙の環状口部の上から幌カバー部を被せた状態を示す斜視図である。
【符号の説明】
【００２７】
１・・・幌カバー部；２・・・前掛部；３・・・巾着型調整手段；
４・・・バギータイプベビーカー；５・・・Ｂ型ベビーカー；
１０・・・ベビーカー用補助カバー；１１・・・弧状フレーム部；
１１ａ，１１ｂ・・・弧状フレーム部両端部；１２・・・袋状被覆シート部；
１２ｆ・・・前方シート部；１３・・・袋状被覆シート部の開口部；
１４・・・弧状縁部；１５・・・伸縮性弦型縁部；１６ａ，１６ｂ・・・取付手段；
１７ａ，１７ｂ・・・位置調整手段；１８・・・中間弧状フレーム部；
１９・・・タグ片；２１・・・伸縮性楕円状縁部；
２１ａ，２１ｂ・・・伸縮性楕円状縁部の連結部；２２・・・袋状防護シート部開口部；
２３・・・袋状防護シート部；２４・・・半円周状上部伸縮性楕円状縁部；
２５・・・下部伸縮性楕円状縁部；２６ａ，２６ｂ・・・前掛部の側部固定手段；
２７ａ，２７ｂ，２８ａ，２８ｂ・・・フット部固定手段；３１・・・紐状コード材；
３１ａ・・・外側に出ている紐状コード材；３２・・・環状口部；
３３・・・紐状コード材の係止手段；３５・・・空隙部；４１，５１・・・幌；
４１Ａ，５１Ａ・・・幌の先端；４２・・・ベビーカーの背もたれ部；
４３・・・バギータイプベビーカーの左側前輪。
【図１】
2009262595.tif 000003
【図２】
2009262595.tif 000004
【図３】
2009262595.tif 000005
【図４】
2009262595.tif 000006
【図５】
2009262595.tif 000007
【図６】
2009262595.tif 000008
【図７】
2009262595.tif 000009
【図８】
2009262595.tif 000010
【図９】
2009262595.tif 000011
【図１０】
2009262595.tif 000012
【図１１】
2009262595.tif 000013
【図１２】
2009262595.tif 000014
【図１３】
2009262595.tif 000015
【図１４】
2009262595.tif 000016
【図１５】
2009262595.tif 000017